(57)【特許請求の範囲】
【請求項１】
ロールの表面に刃先が圧接されるドクターブレードと、このドクターブレードを保持したブレードホルダと、このブレードホルダを支持しているドクターバックとを有するプレストップロール用ドクター装置において、
前記ドクターブレードは、その刃先側が上方に位置するように、水平に対して傾斜した姿勢で前記ロールの表面に圧接されるようになっており、
前記ブレードホルダは、前記ドクターブレードの上面に連続して、同一方向に傾斜した傾斜上面を備えており、
前記ドクターブレードおよび前記ブレードホルダは、前記ドクターブレードの前記刃先部分および前記ロールの表面に溜まったシャワー水が、前記ドクターブレードの前記上面および前記ブレードホルダの前記傾斜上面に沿って流下するように、それらの向きが設定されており、
前記ドクターバックは上方に開口する状態でＶ状に折り曲げられた鋼板から形成されており、
前記ドクターバックは、前記ドクターブレードの前記上面および前記ブレードホルダの前記傾斜上面に沿って流下する液体を受け入れる樋として機能することを特徴とするプレストップロール用ドクター装置。
【請求項２】
ロールの表面に刃先が圧接されるドクターブレードと、このドクターブレードを保持したブレードホルダと、このブレードホルダを支持しているドクターバックとを有するプレストップロール用ドクター装置において、
前記ドクターブレードは、その刃先側が上方に位置するように、水平に対して傾斜した姿勢で前記ロールの表面に圧接されるようになっており、
前記ブレードホルダは、前記ドクターブレードの上面に連続して、同一方向に傾斜した傾斜上面を備えており、
前記ドクターブレードおよび前記ブレードホルダは、前記ドクターブレードの前記刃先部分および前記ロールの表面に溜まったシャワー水が、前記ドクターブレードの前記上面および前記ブレードホルダの前記傾斜上面に沿って流下するように、それらの向きが設定されており、
前記ドクターバックは、前記ドクターブレードの前記上面および前記ブレードホルダの前記傾斜上面に沿って流下する液体を受け入れる樋を備えており、
前記ドクターバックは、上方に開口する状態でＶ状に折り曲げられた鋼板から形成され、Ｖ形の断面形状をしており、
前記樋は、前記ブレードホルダの前記傾斜上面の後端に連続して、上方に開口したＵ状断面のものであり、Ｖ形の断面形状をした前記ドクターバックの内部に取り付けられていることを特徴とするプレストップロール用ドクター装置。
【発明の詳細な説明】
【０００１】
【発明の属する技術分野】
本発明は抄紙機のプレストップロール用ドクター装置に関するものである。
【０００２】
【従来の技術】
図３には従来における抄紙機のプレストップロール用ドクター装置を示してある。この図に示すように、プレストップロール１０の表面１０ａにおける垂線から１５度程度の所に、ドクター装置１１のドクターブレード１２が、刃先１２ａが下側となるように傾斜した姿勢で押しつけられ、この状態でドクターリングが行われる。ドクターリングに際しては、ロール１０の直上に位置するシャワーノズル１３からドクターブレード１２の刃先１２ａに水が吹き付けられる。
【０００３】
【発明が解決しようとする課題】
このように配置されるプレストップロール用ドクター装置においては次のような問題点がある。まず、シャワーノズル１３から吹き出された水は、ロール表面とドクターブレード１２の上に溜まる。ここにはロール表面から掻き落とされた紙滓等も溜まる。これらシャワー水および紙滓等の異物を除去する必要があるが、従来では、溜まったシャワー水が異物と共にドクターブレードの刃幅方向に流れて、その両端から流れ落ちるに任せていた。
【０００４】
このために、プレストップロール用ドクター装置の全体が水浸しの状態となってしまうという欠点があった。また、ドクター装置の下方部分も同様に水浸しの状態になってしまうという欠点があった。
【０００５】
この問題を解消するためには、例えば、吸引ノズルを用いて、シャワー水および掻き落とされた異物を吸引除去することが考えられる。しかし、この方法では、吸引ノズル、その駆動機構を配置する必要があるので、装置が大型化し、製造コストも高くなるので、好ましくない。
【０００６】
また、図３（Ｂ）に示すように、通紙時に、通紙部分（トリム）がドクターバックに乗ってしまい、横から通紙部分を手作業により取り出す必要があり、不便であるという欠点があった。
【０００７】
本発明の課題は、簡単な構成の排水処理機構を備えたプレストップロール用ドクター装置を提案することにある。
【０００８】
【課題を解決するための手段】
図１を参照して説明すると、本発明は、ロール１０の表面１０ａに刃先２ａが圧接されるドクターブレード２と、このドクターブレード２を保持したブレードホルダ３と、このブレードホルダ３を支持しているドクターバック４とを有するプレストップロール用ドクター装置１において、前記ドクターブレード２は、その刃先２ａの側が上方に位置するように、水平に対して傾斜した姿勢で前記ロールの表面１０ａに圧接されるようになっており、前記ブレードホルダ３は、前記ドクターブレード２の上面２ｂに連続して、同一方向に傾斜した傾斜上面３ａを備えており、前記ドクターバック４は、前記ドクターブレード２および前記ブレードホルダ３の傾斜上面３ａに沿って流下する液体を受け入れる樋４ａを備えていることを特徴としている。
【０００９】
本発明のドクター装置においては、傾斜配置したドクターブレード２と、ブレードホルダの傾斜上面３ａとに案内されて、ドクターブレードの刃先部分およびロール表面に溜まったシャワー水は、図１（Ａ）において矢印で示すように、ドクターバック４の樋４ａに流れ落ちて、この樋４ａに集められ、排水口４ｂから所定の部位に排出される。従って、ドクター装置１がシャワー水で水浸しになることがない。また、シャワー水の排水経路は、ドクターブレード、ブレードホルダを利用しているので、装置寸法の増加、製造コストの増加を招くこともない。
【００１０】
これに加えて、通紙時における通紙部分（トリム）が、ドクターブレード２、ブレードホルダ３に乗り上げた場合には、図１（Ｂ）に示すように、これらの部分を流れるシャワー水によって、通紙部分がドクターバック４の樋４ａに洗い落とされる。よって、ドクターバック４の側に乗り上げた通紙部分を手作業により取り除く作業が不要となる。
【００１１】
【発明の実施の形態】
以下に、図２を参照して、本発明を適用したプレストップロール用ドクター装置の実施例を説明する。
【００１２】
図示のドクター装置２０は、第１ドクター装置３０および第２ドクター装置４０を備えた、所謂、ダブルドクター装置である。第１ドクター装置３０は、ドクターブレード３２と、これを保持しているブレードホルダ３３と、このブレードホルダ３３を支持しているドクターバック３４とを有している。ドクターバック３４はＶ状に折り曲げられた鋼板から形成されており、その両端にはブラケット３５を介してジャーナル軸３６が取り付けられ、当該ジャーナル軸３６を中心としてドクターバック３４は旋回可能である。このドクターバック３４の姿勢は、当該ドクターバック３４と固定側部材３７との間に架け渡したドクターバック３８により調整可能である。
【００１３】
ドクターブレード３２はその刃先３２ａが上に位置するように水平に対して傾斜配置されており、このドクターブレード３２を保持しているブレードホルダ３３の上面も同様に傾斜した傾斜上面３３ａとされている。この傾斜上面３３ａの後端に連続して、上方に開口したＵ状断面の樋３４ａが取り付けられている。この樋３４ａには、下方に開口した排水口３４ｂが形成されている。
【００１４】
次に、第２ドクター装置４０は第１ドクター装置３０の直下に位置しており、ドクターブレード４２と、これを保持しているブレードホルダ４３と、ブレードホルダ４３を支持しているドクターバック４４とを有している。ドクターバック４４はＶ状に折り曲げられた鋼板から形成されており、その垂直板部分４５の上端が第１ドクター装置３０のドクターバック３４の背面に固着され、ジャーナル軸３６を中心として、第１ドクター装置３０と一体となって旋回可能となっている。
【００１５】
ドクターブレード４２はその刃先４２ａが上に位置するように水平に対して傾斜配置されており、このドクターブレード４２を保持しているブレードホルダ４３の上面も同様に傾斜した傾斜上面４３ａとされている。この傾斜上面４３ａの後端に連続して、上方に開口したＵ状断面の樋４４ａが取り付けられている。この樋４４ａには、下方に開口した排水口４４ｂが形成されている。
【００１６】
次に、この排水口４４ｂの直下には、結露防止型（蒸気配管付き）のセーブオール５０が配置されており、排水口４４ｂから流下する水を回収して、排水管５１を介して、所定の回収位置まで案内することが可能となっている。
【００１７】
なお、第１ドクター装置３０のドクターブレード３２の刃先部分の表面側にシャワー水を噴射する第１シャワーノズル６１と、このドクターブレード３２の刃先部分の裏面側にシャワー水を噴射する第２シャワーノズル６２が配置されている。
【００１８】
この構成のドクター装置２０において、ドクターリング時には、第１、第２シャワーノズル６１、６２からドクターブレード３２の刃先部分に向けて両側からシャワー水が吹き付けられる。上側から吹き付けられたシャワー水は、ドクターブレード３２の上面、この後側のブレードホルダの傾斜上面３３ａに沿って流れて、その後ろ側のドクターバック３４の樋３４ａに集められる。この後は、この樋３４ａに形成された排水口３４ｂから、下側の第２ドクター装置４０の樋４４ａに流れ落ちる。
【００１９】
ドクターブレード３２の下側に吹き付けられたシャワー水は、第２ドクター装置４０のドクターブレード４２の上面、この後ろ側のブレードホルダの傾斜上面４３ａに沿って流れて、その後ろ側のドクターバック４４の樋４４ａに集められる。この樋４４ａに集められたシャワー水は、排水口４４ｂから、その直下に配置されているセーブオール５０に流れ落ちる。
【００２０】
このように、本例のドクター装置２０では、シャワー水は、各ドクター装置３０、４０のドクターブレード３２、４２、ブレードホルダの傾斜上面３３ａ、４３ａにより案内されて、ドクターバック３４、４４に配置した樋３４ａ、４４ａに集められ、セーブオール５０に回収される。
【００２１】
よって、ドクター装置２０がシャワー水で水浸しになることはない。また、通紙時における通紙部分がドクターブレード３２、ブレードホルダ３３に乗り上げたとしても、そこを流れるシャワー水によって、ドクターバック３４の樋３４ａに洗い流される。よって、手作業により、通紙部分を取り除く作業も不要になる。
【００２２】
【発明の効果】
以上説明したように、本発明のプレストップロール用ドクター装置では、ドクターブレードをその刃先側が上に位置するように傾斜配置し、ブレードホルダの上面も同様な傾斜上面とし、これらによってドクターブレードの刃先に吹き出されたシャワー水をドクターバックまで導き、しかる後に、ドクターバックに配置されている樋に集めるようにしている。
【００２３】
従って、本発明によれば、ドクターブレードおよびブレードホルダを利用してシャワー水の排水経路を形成しているので、装置の大型化、製造コスト高を招くことなく、シャワー水の排水機構を構成できる。
【００２４】
また、ドクターブレードおよびブレードホルダの上面にシャワー水を流すようにしているので、この部分に乗り上げた通紙部分が、当該部分を流れるシャワー水で樋に洗い流されるので、人手により当該部分に乗り上げた通紙部分を除去する作業が不要になる。
【図面の簡単な説明】
【図１】本発明によるドクター装置の排水機構を説明するための説明図および、通紙部分が洗い流される状態を示す説明図である。
【図２】本発明を適用したドクター装置の一実施例を示す概略構成図である。
【図３】従来のプレストップロール用ドクター装置の欠点を説明するための説明図である。
【符号の説明】
１、１１、２０、３０、４０  ドクター装置
２、１２、３２  ドクターブレード
２ａ、１２ａ、３２ａ  ドクターブレードの刃先
３、３３、４３  ブレードホルダ
３ａ、３３ａ、４３ａ  ブレードホルダの傾斜面
４、３４、４４  ドクターバック
４ａ、３４ａ、４４ａ  樋
４ｂ、３４ｂ、４４ｂ  排水口
１０  プレストップロール
１０ａ  ロール表面
【図１】
0004132314.tif 000002
【図２】
0004132314.tif 000003
【図３】
0004132314.tif 000004